(57)【特許請求の範囲】
【請求項１】
上端及び下端を有する第１の垂直支持部材であって、第１の一対の対向する係止ピン開口部を有する、第１の垂直支持部材と、
上端及び下端を有する第２の垂直支持部材であって、第２の一対の対向する係止ピン開口部を有する、第２の垂直支持部材と、
上面と、下面と、第１端及び第２端と、を有する第１の交差筋違であって、前記第１の交差筋違の前記第１端が第１の垂直支持部材の前記上端に固定され、前記第１の交差筋違の前記第２端が前記第２の垂直支持部材の前記上端に固定されている、第１の交差筋違と、
上面と、下面と、第１端及び第２端と、を有する第２の交差筋違であって、前記第２の交差筋違の前記第１端が前記第１の垂直支持部材の前記下端に固定され、前記第２の交差筋違の前記第２端が前記第２の垂直支持部材の前記下端に固定されている、第２の交差筋違と、
前記第２の交差筋違の前記面のうち一方に固定された垂直係止アセンブリであって、前記第１の係止ピン開口部と位置合わせされた第１の係止ピンと、前記第２の係止ピン開口部と位置合わせされた第２の係止ピンと、を備え、各係止ピンは、前記第１及び第２の係止ピンが前記第１及び第２の対向する係止ピン開口部内へ進入する係止位置と、前記第１及び第２の係止ピンが前記第１及び第２の対向する係止ピン開口部から離脱した非係止位置と、の間で同時に移動可能である、垂直係止アセンブリと、を備え、
前記垂直係止アセンブリは、前記係止ピンに動作可能に接続されたハンドルをさらに備え、前記ハンドルは、前記第１の係止ピン及び前記第２の係止ピンを同時に動かすように動作可能である、
支持枠。
【請求項２】
前記垂直係止アセンブリは、前記第２の交差筋違の前記上面に固定されている、請求項１の支持枠。
【請求項３】
前記垂直係止アセンブリは、
前記第１の係止ピンに動作可能に接続された第１のピニオンギアと、
前記第２の係止ピンに動作可能に接続された第２のピニオンギアと、をさらに備え、
前記ハンドルは、前記第１のピニオンギアと前記第２のピニオンギアに動作可能に接続されている、請求項１の支持枠。
【請求項４】
前記第１及び第２の交差筋違の各々は、
前記第１及び第２の交差筋違の各々の前記第１端に隣接し、前記第１の支持部材が各々配置される第１の支持部材開口部と、
前記第１及び第２の交差筋違の各々の前記第２端に隣接し、前記第２の支持部材が各々配置される第２の支持部材開口部と、
をさらに備える、請求項１の支持枠。
【請求項５】
前記第１及び第２の交差筋違の各々は、前記第１及び第２の垂直支持部材に取り外し可能に装着されている、請求項１の支持枠。
【請求項６】
前記第１及び第２の交差部材の各々は、前面と、背面と、前記支持部材開口部のうち少なくとも１つから前記交差筋違の前記前面又は前記背面へと延伸する拡張スロットと、前記前面の少なくとも１つ又は前記背面から前記拡張スロットにわたって延伸するねじ切り孔と、をさらに備える、請求項４の支持枠。
【請求項７】
前記支持枠は、
円形の断面を有し前記第１の垂直支持部材の前記上端から軸方向に延伸する第１の位置決めピンと、
円形の断面を有し前記第２の垂直支持部材の前記上端から軸方向に延伸する第２の位置決めピンと、
前記第１の位置決めピンの直径よりもわずかに大きな直径を有する、前記第１の支持部材の前記最下部の軸方向の第１の位置決めピン孔と、
前記第２の位置決めピンの直径よりもわずかに大きな直径を有する、前記第２の支持部材の前記最下部の軸方向の第２の位置決めピン孔と、
をさらに備える、請求項１の支持枠。
【発明の詳細な説明】
【技術分野】
【０００１】
関連出願の相互参照
[0001]  本願は、「映像表示モジュール支持システム」と題され２０１３年３月４日に提出された米国仮出願第６１／７７２，１０９号、及び「映像表示モジュール支持アセンブリ」と題され２０１４年３月３日に提出された米国非仮出願第１４／１９５，６３０号の優先権を主張する。これらの出願はその全体が参照により本明細書に明確に組み込まれる。
【０００２】
[0002]  本発明は機械技術に係る。特に、本発明は、映像表示モジュールの支持アセンブリに関する。
【背景技術】
【０００３】
[0003]  アリーナコンサート、劇場コンサート、見本市などといった一時的な場所でのイベントの観客は視覚体験にますます多くのことを期待するようになっている。この期待を満足させるために、モジュラ映像表示アセンブリのアレイからなる大型の映像ディスプレイを提供することが知られている。一般的に、隣接する映像表示モジュールのためのコネクタは、ディスプレイが平面ディスプレイであることを必要としてきた。視覚体験の柔軟性を高めるべく、隣接するアセンブリが湾曲可能であることが要求されている。また、そのようなディスプレイは時限的なものであるため、映像アレイは、最初のイベントにおいて簡単、迅速、且つ安全に組み立てることができ、その後解体されて、その映像表示モジュールが異なる形態で用いられ得る次のイベントへと移動可能であることが必要である。
【発明の概要】
【発明が解決しようとする課題】
【０００４】
[0004]  しかしながら、隣接するアセンブリが継ぎ目なく平面配向で効果的に装着できるばかりでなく他の配向でも効果的に装着され得るように、ヒンジ結合されたコネクタにより提供される柔軟性の必要が長い間感じられている。
【課題を解決するための手段】
【０００５】
[0005]  本発明によれば、これら及び関係する利点を提供するヒンジ結合されたコネクタを採用した映像表示モジュールアセンブリが見出されている。一態様において、映像表示モジュール支持アセンブリは、前面及び背面を有する発光タイルと、上部、下部、２つの対向する側部、背面、及び前面を有し前面が映像タイルの背面に装着されている装着板と、前部と後部とを有し前部が装着板の背面に装着されている支持枠と、を備える。
【０００６】
[0006]  また、一態様において、支持枠は、上端及び下端を有する第１の垂直支持部材と、上端及び下端を有する第２の垂直支持部材と、上面、下面、第１端及び第２端を有し、第１端が第１の垂直支持部材の上端に固定され、第２端が第２の垂直支持部材の上端に固定されている第１の交差筋違と、上面、下面、第１端及び第２端を有する第２の交差筋違と、を備える。第２の交差筋違の第１端は第１の垂直支持部材の下端に固定され、第２の交差筋違の第２端は第２の垂直支持部材の下端に固定されている。
【０００７】
[0007]  一態様において、支持枠は第２の交差筋違の上面に固定された垂直係止アセンブリを含む。一実施形態においては、垂直係止アセンブリは第２の交差筋違の上面に固定される。
【０００８】
[0008]  また、一実施形態においては、垂直係止アセンブリは第１の係止ピン及び第２の係止ピンを備える。各係止ピンは、第１及び第２の係止ピンが第１及び第２の対向する係止ピン開口部内へと進入する係止位置と、第１及び第２の係止ピンが第１及び第２の対向する係止ピン開口部から離脱した非係止位置と、の間で同時に移動可能である。
【０００９】
[0009]  一実施形態においては、垂直係止アセンブリは、第１の係止ピンに動作可能に接続された第１の歯及びピニオンギアと、第２の係止ピンに動作可能に接続された第２の歯及びピニオンギアと、をさらに備える。第１の歯及びピニオンギアと第２の歯及びピニオンギアとには、第１及び第２の係止ピンを係止位置と非係止位置との間で移動させるように、ハンドルが動作可能に接続されている。
【００１０】
[0010]  一態様において、第１及び第２の交差筋違は、第１及び第２の交差筋違の各々の第１端に隣接する第１の支持部材開口部と、第１及び第２の交差筋違の各々の第２端に隣接する第２の支持部材開口部と、をさらに備える。第１の支持部材が第１の支持部材開口部の各々に挿通され、第２の支持部材が第２の支持部材開口部の各々に挿通され、第１の固締具が第１の支持部材を第１端に固定し、第２の固締具が第２の支持部材を第２端に固定する。一実施形態においては、第１及び第２の交差筋違の各々は、第１及び第２の垂直支持部材に取り外し可能に装着されている。
【００１１】
[0011]  一態様において、第１及び第２の交差部材の各々は、前面及び背面をさらに備える。一実施形態においては、拡張スロットが支持部材開口部のうち少なくとも１つから少なくとも１つの交差部材の前面又は背面へと延伸し、ねじ切り孔が前面又は背面から拡張スロットを越えて延伸する。
【００１２】
[0012]  また、一態様において、支持枠は、円形の断面を有し第１の垂直支持部材の最上部から軸方向に延伸する第１の位置決めピンと、円形の断面を有し第２の垂直支持部材の最上部から軸方向に延伸する第２の位置決めピンと、第１の位置決めピンの直径よりもわずかに大きな直径を有する、第１の支持部材の最下部の軸方向の第１の位置決めピン孔と、第２の位置決めピンの直径よりもわずかに大きな直径を有する、第１の支持部材の最下部の軸方向の第２の位置決めピン孔と、をさらに備える。
【００１３】
[0013]  一態様において、支持枠は、上端及び下端を有する第１の垂直支持部材と、上端及び下端を有する第２の垂直支持部材と、第１の支持部材の最上部から第２の支持部材の最上部へと延伸する第１の交差筋違と、第１の支持部材の最下部から第２の支持部材の最下部へと延伸する第２の交差筋違と、を備える。第１及び第２の交差部材はそれぞれ、少なくとも１つの略平面的な前面と、背面と、第１端と、対向する第２端と、を備える。第１及び第２の交差部材のうち少なくとも一方の背面は、少なくとも１つの横方向に延伸する踏段部を備える。
【００１４】
[0014]  また、一態様において、水平装着アセンブリは、固定された第１の映像支持部材装着部と、第１の装着部に枢動可能に装着された枢動可能な部材本体と、を備えたピボット部材を備える。ピボット部材本体は映像支持部材取付台を含み、映像支持部材取付台は開位置と閉位置との間で枢動可能なラッチを含む。一実施形態においては、第１の映像支持部材装着部は映像支持部材装着開口部を含む。
【００１５】
[0015]  一態様において、支持枠は、上端及び下端を有する第１の垂直支持部材と、上端及び下端を有する第２の垂直支持部材と、第１の支持部材の最上部から第２の支持部材の最上部へと延伸する第１の交差部材と、第１の支持部材の最下部から第２の支持部材の最下部へと延伸する第２の交差部材と、を備える。支持アセンブリはピボット部材を備えた水平装着アセンブリを含み、ピボット部材は、固定された第１の映像支持部材装着部と、第１の装着部に枢動可能に装着された枢動可能な映像支持部材第２装着部と、を備える。第１の映像支持部材装着部は第１の垂直支持部材に装着され、第２の映像支持部材装着部は第２の映像支持部材取付台を含む。
【００１６】
[0016]  一実施形態においては、第１の装着部は、略平面的な上面と略平面的な下面とをさらに備える。第１の映像支持部材カラーが第１の垂直支持部材に固定され、上平面に当接する。第２の映像支持部材カラーが第１の垂直支持部材に固定され、下平面に当接する。第１及び第２の映像支持部材カラーは一緒になって水平装着アセンブリを第１の映像支持部材に固定している。別の一実施形態においては、第１及び第２の映像支持部材カラーは第１の垂直支持部材に摺動可能に装着される。
【００１７】
[0017]  また、別の一実施形態においては、第１の映像支持部材は円形の断面を有する。各映像支持部材カラーは、第１の映像支持部材の外形よりもわずかに大きな直径を有する映像支持部材開口部と、上面と、背面と、映像支持部材開口部から少なくとも１つの交差部材の前面又は背面へと延伸する拡張スロットと、カラーの側部から拡張スロットを越えて延伸するねじ切り孔と、をさらに備える。
【００１８】
[0018]  一態様において、装着板は、上部と、下部と、２つの対向する側部と、背面と、前面と、を有する。少なくとも１つの垂直取付アセンブリが映像装着板の背面に取り付けられる。この少なくとも１つの垂直取付アセンブリは、取付アームラチェットアセンブリと、取付アームラチェットにより固定された第１の位置と取付アームラチェットにより固定されていない第２の位置との間で移動可能な取付アームと、を備える。
【００１９】
[0019]  一実施形態においては、取付アームは、上部と、下部と、後部と、前部と、第１及び第２の対向する側部と、を備え、前部には横切欠部を有する。少なくとも１つの取付アーム支持体は、長手方向の移動について取付アームを摺動可能に支持する第１の取付アームスロットを有する。取付アームラチェットアセンブリは取付アームラチェットアセンブリハウジングを備え、取付アームラチェットアセンブリハウジングは、上部と、下部と、後部と、前部と、２つの対向する側部と、を備える。取付アームスロットは取付アームを収容するハウジングの前部に形成され、ここに第１の取付アームスロット及び第２の取付アームスロットが軸方向に位置合わせされる。ハウジング内に支持された枢動ラチェットアセンブリは、取付アームが第２の位置にあるときに取付アームの横溝に係合するラチェット本体止めピンを備える。
【００２０】
[0020]  一実施形態においては、装着板は、取付アームを摺動可能に支持する少なくとも１つの取付アーム支持体をさらに備える。また、一実施形態においては、取付アームラチェットは、第１の位置から取付アームを解放するトリガを含む。
【図面の簡単な説明】
【００２１】
[0021]  添付の図面は、明細書と併せて例示的な実施形態を示すとともに、説明と併せてこれらの実施形態の原理を説明する働きをするものである。
【００２２】
【図１】[0022]  本発明の一態様による映像表示モジュールの分解前部斜視図である。
【図２】[0023]  本発明の一態様による支持枠の前部平面図である。
【図３】[0024]  図２の支持枠の側部平面図である。
【図４】[0025]  図３の支持枠の対向側部平面図である。
【図５】[0026]  図２の線５−５に沿って切断した一部切欠図である。
【図５Ａ】[0027]  引込位置にある係止ピンを示す図５の一部である。
【図５Ｂ】[0028]  第２の支持枠の一部とともに引出位置にある係止ピンを示す図５の一部である。
【図６】[0029]  係止アセンブリの一部の後部斜視図である。
【図７】[0030]  図２の支持枠の上面平面図である。
【図８】[0031]  図２の支持枠の下面平面図である。
【図９】[0032]  本発明による支持枠の第２の実施形態の後部斜視図である。
【図１０】[0033]  相互に固定された本発明による複数の支持枠の後部斜視図である。
【図１１】[0034]  本発明の一態様による垂直係止アセンブリの斜視図である。
【図１２】[0035]  相互に固定された本発明による２つの支持枠の上面平面図である。
【図１３】[0036]  本発明の一態様による装着板の後部斜視図である。
【図１４】[0037]  相互に固定された本発明による複数の装着板の背面平面図である。
【図１５】[0038]  本発明の一態様による取付アームの後部斜視図である。
【図１６】[0039]  本発明の一態様による取付アームラチェットアセンブリの上部斜視図である。
【図１７】[0040]  本発明の一態様による取付アームラチェットアセンブリハウジングの下部斜視図である。
【図１８】[0041]  図１６の取付アームラチェットアセンブリの一部の側部平面図である。
【図１９】[0042]  本発明の別の一態様による取付アーム及び取付アームラチェットアセンブリの側部斜視図である。
【図２０】[0043]  図１９に示す取付アーム及び取付アームラチェットアセンブリの側部平面図である。
【図２１】[0044]  図１９に示す取付アーム及び取付アームラチェットアセンブリの一部の下部斜視図である。
【図２２】[0045]  本発明の一態様による映像表示モジュールの後部斜視図である。
【発明を実施するための形態】
【００２３】
[0046]  以下においては、本発明の特定の実施形態を、その原理及び動作を示す目的で詳細に説明する。しかしながら、様々な変更が行われてもよく、本発明の範囲は以下に説明される例示的な実施形態に限定されるものではない。例えば、ＬＥＤ表示器に特に焦点を合わせているが、本発明はＬＣＤ表示器、プラズマ表示器、ＯＬＥＤ表示器などといった他の映像表示器と等しい有用性を持つものであることが理解され得る。
【００２４】
[0047]  図１に示すのは、本発明の一態様による映像表示システム１０の分解前部斜視図である。図１に示す実施形態は、発光タイル１４を備えた複数のＬＥＤモジュール１２と、ＬＥＤモジュールを支持枠１８に取り付けるための装着板１６と、を含む。
【００２５】
[0048]  支持枠１８の様々な態様を図２乃至１２に示す。図２は本発明の一態様による支持枠の前部平面図である。枠は、各々が上端２２及び下端２４を有する２つの支持部材２０で形成されている。支持部材は、各支持部材の最上部で支持部材間に延在する上部交差筋違２６と、各支持部材の最下部で支持部材間に延在する下部交差筋違２８と、によって離隔されている。支持部材は任意の適切な形状を有し得る。例えば、いくつかの態様においては、支持体は正方形又は長方形の形状を有する。支持部材ならびに上部及び下部交差筋違は、任意の適切な材料で作成される。代表的な材料は、ステンレス鋼などの金属、エンジニアリングプラスチック、ガラス繊維、Ｔｅｇｒｉｓ、炭素繊維材料、及び炭素繊維に包まれたアルミニウムを含むが、これらには限られない。
【００２６】
[0049]  本発明の明白な利点は、適切な長さを有する支持部材及び交差筋違を選択して所望の寸法を有する支持構造を創出することにより、異なる寸法を有する種々の異なるＬＥＤタイルを本発明による支持枠で支持できるということである。支持部材２０は任意の適切な形状を有していてもよく、円筒形状で軸方向の円筒形の孔２９（図８）を備えるのが好適である。いくつかの態様において、各支持部材の最上部２２から軸方向に延伸しているのは、位置決めピン３０である。例えば例示的な支持枠の左右側部平面図である図３及び４に見られるように、いくつかの態様においては、各位置決めピンは、少なくとも１つのテーパ部３２（図３及び４の実施形態には２つを示す）と係止ピン孔３４とを含む。位置決めピンは、任意の適切な手段によって各支持部材の最上部に形成又は固定され得る。例えば、代表的な一実施形態においては、位置決めピンは、圧縮嵌めを用いて円筒形の孔の中に固定される。
【００２７】
[0050]  図５，５Ａ及び５Ｂは図２の一部切欠図である。いくつかの態様において、各支持部材２０の最下部に形成されているのは、位置決めピン３０の直径よりもわずかに大きな直径を有する軸方向の位置決めピン孔３５である。図５，５Ａ及び５Ｂに示す例示的な実施形態に見られるように、各支持部材２０の最下部２４は、一対の対向する係止ピン開口部３６を含む。支持部材の最下部の係止ピン開口部の各対は、位置決めピン３０が位置決めピン孔３５に挿通されたときに開口部対が位置決めピン開口３４と一致するように位置決めされる。
【００２８】
[0051]  図７及び８を参照すると、支持枠１８の例示的な一実施形態の上面及び下面平面図が示されている。各交差筋違２６及び２８は、背面３８と、前面４０と、第１端４２と、対向する第２端４４と、を有する。いくつかの態様においては、前面は、少なくとも１つの略平面的な横装着板接触面を画定する。図示する実施形態において、例えば図７及び８では、前面は３つの装着板接触面４６を画定しており、各前面の各端部にそれぞれ１つの装着板接触面が位置し、各前面の中央部分に１つの装着板接触面が位置している。
【００２９】
[0052]  各背面３８から横に延伸しているのは２つの踏段部４８であり、各々が踏段部開口部５０を有する。踏段部は、組み立てられた映像構造１０に登るための踏み段としての役割を果たす。また、踏段部開口部は、上部交差筋違２６（図７）の中央部分にある上部交差筋違開口部５２とともに、枠を運搬し映像表示器構造を組み立てるための取っ手としての働きをするよう構成されている。
【００３０】
[0053]  交差筋違２６及び２８は、任意の適切な方法によって支持部材２０に装着可能である。いくつかの態様においては、交差筋違は取り外し可能に支持部材に装着される。例えば図７及び８に示す代表的な実施形態に見られるように、各交差筋違の端部４２及び４４に位置しているのは、軸方向の支持部材開口部５４である。この開口は、垂直部材３０の外径よりもわずかに大きな直径を有する。
【００３１】
[0054]  例示的な一実施形態において、各開口部５４には拡張スロット５６が結合している。図７及び８に示す代表的な実施形態においては、拡張スロットはＬ字型であり、開口から半径方向に延伸する脚部６０と、開口の長手軸から離隔し脚部から交差筋違の背面３８へと延伸する背部５８と、を有する。ねじ切り孔（図示しない）が背面から脚部を越えて延伸し、螺合するねじ山を有する拡張スロットねじ６２（図９）が孔の各対に挿通される。ねじが緩められると、筋違は支持部材の長さに沿って位置決め可能となる。ねじが締められると、筋違は支持部材に固定される。いくつかの実施形態においては、第２のねじ切り孔（図示する１３２）が上交差筋違の背面から装着開口まで形成され、各孔には螺合するねじ山を有する第２の固締ねじ６６（図９）が挿通される。ねじが緩められると、筋違は支持部材の長さに沿って位置決め可能となる。ねじが締められると、筋違は支持部材に固定される。
【００３２】
[0055]  例えば図７及び８に示す実施形態においては、上部交差筋違２６及び下部交差筋違２８はそれぞれ、２つの支持部材２０を収容するための２つの離隔された支持部材装着開口５４を含む。しかしながら、代替的な実施形態においては、支持部材装着開口の数を変えることによって支持部材の数を変更することができる。例えば、本発明による支持枠の第２の実施形態の後部斜視図である図９に示す実施形態においては、上部交差筋違及び下部交差筋違はそれぞれ６つの支持部材装着開口を含んでおり、６つの支持部材を収容することができる。
【００３３】
[0056]  本発明の明白な利点は、個々の支持枠１８がさらなる支持枠に垂直方向にも水平方向にも装着可能であるということである。図１０は相互に固定された本発明による複数の支持枠の後部斜視図である。図１０の実施形態においては、第１の支持枠１８ａが第２の支持枠１８ｂに装着されて映像表示システムを垂直方向に延伸させ、第３の支持枠１８ｃが第１の支持枠に装着されてＬＥＤ表示器システムを水平方向に延伸させている。図１０には３つの支持枠が図示されているが、１つ以上の追加的な支持枠を支持枠１８ａならびに各追加支持枠に接続することによって、任意の所望の構成の映像表示器が構成可能であることが理解できる。
【００３４】
[0057]  支持枠１８ａを支持枠１８ｂに固締するために下部交差筋違２８に取り付けられた例示的な垂直係止アセンブリ６８は、図５，５Ａ及び５Ｂを参照すると最もよく理解される。係止アセンブリは、第２の交差部材２８に固定された中央カバー板７０を含む。中央カバー板は、各端部を覆うスリーブブッシング７７を含む第１及び第２の軸受ブロック７６を有する。一対の対向する係止ばねカバー７８が、各軸受ブロックから各支持部材開口部５４へと、支持部材２０に当接するように延伸している。
【００３５】
[0058]  係止アセンブリの一部の後部斜視図である図６をさらに参照すると、ピボットブロック８０に支持されているのは歯及びピニオンギア８２である。非係止位置（図５Ａ）と係止位置（図５Ｂ）との間で移動可能な係止ハンドル８４が、この歯及びピニオンギアに、ハンドルブロック８６により動作可能に接続されている。図５に最もよく見られるように、代表的な一実施形態においては、ピボットねじ８８がピボットブロックワッシャ９０からピボットブロックを通ってハンドルブロックの一端へと延伸し、ピボットブロックをハンドルブロックに固定する。ハンドルねじ９２はハンドルねじワッシャ９３を通ってハンドルブロックの対向端へと延伸し、ハンドルをハンドルブロックに固定する。
【００３６】
[0059]  第１及び第２の対向する直線状のギアラック９４は、中央カバー板の前後内面に対して配設されたラックスライド９５により支持される。ギアラックは、歯及びピニオンギアに係合する補完的な歯を有する第１の部分９６を含む。第２の部分９８は、背部１０２及びアーム１０４を有するＬ字型の係止ピンラックコネクタ１００を受容する凹部を含む。背部はこの凹部に、例えばねじ１０５によって固定される。アームは内側に延伸し、その先端にはねじ穴１０８が配設される。
【００３７】
[0060]  一対の対向する係止ピン１１０は、それぞれ第１端部分１１２と第２端部分１１４を有する。第１端部分は、係止ピンコネクタねじ１０６を受容する係止ピンラックコネクタねじ穴１０８と位置合わせされたねじ切り孔１１６を含む。第２端部分は、係止ピン開口部３６の直径よりもわずかに小さな直径を有する。第２端から間隔を置いているのは止めフランジ１１８である。各係止ピンは、係止ピンラックコネクタから軸受ブロック７６内のスリーブブッシング７７を通り、係止ピンばね１２０を通って延伸している。係止ピンばねの一端は軸受ブロックに当接し、他端は止めフランジに当接する。
【００３８】
[0061]  ハンドル８４が閉位置にあるときには（図５Ａ）、各係止ピン１１０の第２端１１４は係止ばねカバー７８内に完全に引き込まれている。ハンドルは、係止位置へと移動されると、係止ピンを、係止ピン受容開口部３６を通り止めフランジ１１８が支持部材２０に接するまで延伸させる。
【００３９】
[0062]  図５Ａ及び５Ｂに見られるように、第２の支持枠の位置決めピン３０が第１の支持枠の支持部材２０の下端２４に挿通されるとき、係止ピン受容孔３４は係止ピン受容開口部３６と位置合わせされるので、係止ピン１１０はこの孔及び開口部の両方を通って延伸し、第２の支持枠を第１の支持枠に固定する。
【００４０】
[0063]  垂直部材の１つに取り付けられた水平係止アセンブリ１２２は、支持枠１８ａを支持枠１８ｃに水平に固締する。いくつかの態様においては、水平係止アセンブリは、隣り合ったＬＥＤタイルにより形成される角度が変更できるように、枢動可能である。例えば図１１の水平係止アセンブリの斜視図に見られるように、そのような態様のいくつかの実施形態は、ピボット部材本体１２６を有するピボット部材１２４を備える。位置合わせピン孔１２７がピボット部材本体の最上部から最下部へと延伸する。本体の最上部の前部から外側へ延伸しているのは、支持部材装着部１２８である。支持部材装着部は、支持部材の外径と略同一の直径を有する支持部材装着開口部１３０を含む。
【００４１】
[0064]  図１，３及び４に最もよく見られるように、水平装着アセンブリ１２２は、支持部材装着部１２８を２つの支持部材カラー１３２の間の支持部材２０上に摺動させることにより支持枠１８に固締される。図１に示す実施形態においては、各支持部材カラーは支持部材カラー装着開口１３４を備える。開口は垂直部材の外径よりもわずかに大きな直径を有するので、映像支持部材カラーは、映像支持部材カラーを支持部材の上方及び下方に摺動させることにより支持部材上で位置決め可能である。
【００４２】
[0065]  カラー１３２の一側部は第１の部分及び第２の部分を有する略平面的な装着板接触面１３６を含む。装着面の第１の部分から外側に延伸しているのは装着ペグ１３８である。垂直に位置合わせされた装着板装着孔１４０は第２の部分に配設されている。垂直に位置合わせされた水平係止アセンブリ装着孔１４１は、カラーの、接触面に対向する表面に配設されている。
【００４３】
[0066]  いくつかの実施形態においては、カラー１３２は、拡張スロット１４２、例えば接触面１３６と平行に配向されカラーの側部から装着開口１３４へと延伸する拡張スロットを備える。ねじ切り孔（図示しない）がカラーの一側部から拡張スロット１４２を越えて延伸する。螺合するねじ山を有する拡張スロットねじ１４６（図３及び４）が孔に挿通される。ねじが緩められると、カラーは支持部材の長さに沿って位置決め可能となる。ねじが締められると、カラーは支持部材に固定される。水平装着アセンブリ１２２及び２つの映像支持部材カラー１３２の位置合わせは、位置合わせピン孔１２７を装着板装着孔と位置合わせし、位置合わせピン１４８を挿通することによって行われる。
【００４４】
[0067]  図８をさらに参照すると、ピボット部材本体１２６の最下部の背部から外側に延伸しているのは、下部ピボット板１５０である。下部ピボット板は、弧状の第１のピボットねじスロット１５２と、弧状のハンドルスロット１５４と、下部板の表面を貫通する第１の第１のピボットねじ開口部（図示しない）とを含む。
【００４５】
[0068]  図７をさらに参照すると、下部ピボット板１５０の上に配設されているのは上部ピボット板１５８である。上部ピボット板は、第１のピボットねじスロット１５２の上方に位置合わせされた第２の第１のピボットねじ開口部（図示しない）と、ハンドルスロットの上方に位置合わせされた第１のハンドルピン開口部（図示しない）と、第２のピボットねじ開口部の上方に配向された弧状の第１の第２のねじスロット１６４とを含む。
【００４６】
[0069]  いくつかの実施形態においては、水平装着アセンブリ１２２は、下部ピボット板１５０と上部ピボット板１５８との間に介在されたピボット当て板１６６（図２）を備える。ピボット当て板は、第１の第２のねじスロットと位置合わせされた弧状の第２の第２のねじスロットと、第１の第１のピボットねじ開口部と位置合わせされた第２の第１のねじ開口部と、第１のハンドルピン開口部と一致させた第２のハンドルピン開口部１７２とを備える。
【００４７】
[0070]  一端に上向きに延伸する装着ピンを有する水平装着アセンブリハンドル１７４は、下部ピボット板１５０の下に配置され、ピンはハンドルスロット１５４及び第２のハンドルピン開口部１７２を通って上に延伸している。第１のピボットねじ１７５は、第１のピボットねじスロット１５２に配設された第１のピボット軸受１７６と、第２の第１のピボットねじ開口部１５６に配設された軸受ワッシャと、次いで第１の第１のピボットねじ開口部と、を通って延伸する。このねじは第１のピボットねじワッシャ１７８とナット１８０とによって固締される。第２のピボットねじ１８１は、第１の第２のピボットねじスロット１６４に配設された第２のピボット軸受１８２と、第２の第２のピボットねじスロットに配設された第２の軸受ワッシャ１８３と、第１の第２のピボットねじスロット１６４と、を通って延伸する。第２のねじは第２のピボットねじワッシャ１８４及びナット１８６によって固締される。
【００４８】
[0071]  いくつかの実施形態においては、第２の映像支持部材取付台１８８が、ヒンジスペーサ１９０によって上部ピボット板１５８の上面に固定される。ヒンジ板取付台は曲線をつけて作られた前面１９２を含む。前面の第１の部分１９４は、支持部材２０の外部表面の一部分に対応する曲率を有する。前面の第２の部分１９６は、スイッチ板１９８の一側部の曲率に対応し、第２の部分の中央から外側に延伸するヒンジ２００で終わる。ヒンジパイプ取付台の後部は、スイベル板ロック２０４に当接するよう構成された平面的な表面２０２を含むとともに、アイボルト孔（図示しない）を含む。
【００４９】
[0072]  スイベル板ラッチ１９８は略ウィッシュボーン形で、開位置と閉位置との間で枢動可能である。ウィッシュボーンの第１の部分の内面２０８は、支持部材２０の直径と略同一の直径を有する半球状の断面を有している。第１の部分の外面２１０は前面１９２の第２の部分１９６の曲率に対応しており、したがってスイベル板ラッチが閉位置にあるときには、前面及び内面は、支持部材２０の外径と略同一の直径を有する略連続的な曲線を形成する。ウィッシュボーンの第２の部分は一対の離隔されたフランジ２１２を備える。フランジはヒンジ２００と嵌合するヒンジ２１４で終わり、ヒンジピン２１６によってヒンジ２００に固定されている。アイボルト孔の軸と位置合わせされた垂直アイボルト固締孔２１８がフランジを貫通して延伸する。
【００５０】
[0073]  スイベル板ロック２０４は、２つの垂直に離隔されたフランジ２２０を備えた第１の部分を含む。フランジの前面２２２は略一直線であり、ヒンジパイプ取付台１８８の平面的な背面２０２に当接するよう構成されている。一対の位置合わせされたクレビスピン開口部２２４がフランジを貫通して形成されている。スイベル板ロックの第２の部分は、ピボット部材本体１２６に当接する湾曲した接触面２２６である。
【００５１】
[0074]  アイボルト２２８のアイ部は、アイボルト孔固締孔２１８に挿通されたアイボルトピン２３０によってスイベル板ラッチ１９８に固定される。アイボルトは、スイベル板ラッチ１９８からアイボルト孔２０６を通ってフランジ２２０の間に延伸する。スイベル板アジャスタナット２３２はクレビスピン開口部２２４に挿通されアイボルトに装着されたクレビスピン２３４を貫通して延伸する。アジャスタナットは、一方向に回転されると、スイベル板ラッチを開いて支持枠１８ａから支持部材を受け取る位置に合わせる。アジャスタナットは、他方向に回転されると、スイベル板ラッチを閉じて支持枠１８ａを支持枠１８ｃに固定する。
【００５２】
[0075]  本発明の追加的な利点は、支持枠により形成される角度が調節できることである。２つの水平に装着された支持枠の上面平面図である図１２に示すように、第１及び第２のピボットねじナット１８０及び１８６が緩められると、ハンドル１７４は、第１の第２のピボットねじスロット１５２に沿って移動して、ヒンジパイプ取付台及びスイベル板ラッチを選択された角度に移動させることができる。ナットが締められると、隣り合った支持枠は所望の位置に固定される。
【００５３】
[0076]  本発明の一態様による装着板の前面及び背面平面図である図１及び１３には、装着板１６が図示されている。装着板は、上部２４８と、下部２５０と、対向する側部２５２及び２５４と、ＬＥＤタイル１４と界接する前面２５６とを備えた前側（図１）と、支持枠１８と界接する背面２５８を有する後側（図１３）と、を含む。
【００５４】
[0077]  装着板は任意の適切な手段により支持枠に装着可能である。いくつかの実施形態においては、装着板は取り外し可能に支持枠に装着される。例えば図１３に図示する実施形態においては、背面は４つの支持枠コネクタ２６０を備え、各コネクタが支持カラー１３２（図１及び２２）と嵌合する。
【００５５】
[0078]  図２２において最もよくわかるように、コネクタ２６０間の水平距離は、支持枠１８における支持部材２０のカラー１３２間の距離と同一である。カラーはコネクタと一致するべく支持部材の上方及び下方に移動可能であるため、コネクタ間の垂直距離は設計選択の問題である。
【００５６】
[0079]  各コネクタ２６０は第１の部分と第２の部分とを有する。第１の部分は、支持部材接触面１３６（図１）と当接する略平面的な支持部材カラー接触面２６２を含む。装着ペグ１３８（図１）を受容する装着ペグ孔２６４が接触面に配設されている。一対の垂直に相隔たったヒンジフランジ２６６が第２の部分に配設されている。フランジ間の間隔はカラー１３２の高さよりもわずかに大きく、孔とフランジとの間の間隔はペグと支持装着孔１４０との間の間隔と同一であるため、ペグがペグ孔に挿通されるとヒンジフランジが装着孔と位置合わせされる。ヒンジフランジ及び孔に挿通される取り外し可能なクイックリリースピン２６７（図示しない）は、コネクタをカラーに固定するとともに、装着板１６を支持枠１８に固定する。
【００５７】
[0080]  本発明の明白な利点は、装着板１６が垂直方向にも水平方向にも追加的な装着板に装着され得るということである。図１４は、本発明による映像表示システムの一実施形態の一部分の背面平面図である。図１４の実施形態においては、第１の装着板１６ａが第２の装着板１６ｂに装着されて映像表示システムを垂直方向に延伸させており、第３の支持枠１６ｃが第２の支持枠に装着されて映像表示システムを水平方向に延伸させている。図１４には３つの装着板が示されているが、１つ以上の追加的な装着板を装着板１６ａならびに各追加装着板に接続することによって任意の所望の構成の映像表示器が構成可能であることが理解され得る。
【００５８】
[0081]  本発明のいくつかの態様においては、水平方向に隣接する取付パネルは装着手段によって相互に装着され、いくつかの実施形態では解放可能なように相互に装着される。図１３及び１４に示す実施形態においては、解放可能な水平装着手段は、水平ラッチ位置と垂直ラッチ解除位置との間で移動可能な一対の垂直に離隔されたラッチ２６８を含む。ラッチは背面２５８の上部２４８及び下部２５０の近くに、それぞれ一側部２５２に隣接して配置される。
【００５９】
[0082]  各ラッチ２６８は、ラッチの幅に略等しい距離離隔された前壁２７２及び後壁２７４と、ラッチがラッチ解除位置にあるときにラッチが当接する側壁２７６とを有するラッチ支持体２７０によって、背面２５８に固定されている。位置合わせされたラッチピボットピン開口部とラッチ支持体ピボットピン開口部とを通って延伸するピボットピン２７８がラッチをラッチ支持体に枢動可能に固定する。
【００６０】
[0083]  一対の垂直に離隔されたラッチホルダ２８４は、各々がピボットピン２７８と同一距離離隔されており、背面２５８の上部２４８及び下部２５０の近くに、それぞれ反対の側部２５４に隣接して配置されている。各ラッチホルダ２８４は、ラッチ２６８の幅と略等しい距離互いに離隔された前壁２８６及び後壁２８８と、ラッチが開位置にあるときにラッチ２６８が当接する側壁２９０と、を有する。ラッチ支持体とラッチホルダとの間の距離ならびにラッチの長さは、ラッチがラッチ位置へと枢動されたときにラッチ２６８の先端がラッチホルダ内にあり側壁に当接するようになっている。
【００６１】
[0084]  本発明の別の明白な利点は、いくつかの実施形態においては垂直に隣り合った取付パネルが相互に装着され、いくつかの実施形態においては垂直取付アセンブリによって相互に解放可能に装着されるということである。図１３及び１４に示す実施形態に見られるように、垂直装着手段は、固定解除位置と固定位置との間で移動可能であり取付アーム支持体３０２内に摺動可能に支持されている取付アーム３００を含む。伸長されると、取付アームは取付アームラチェットアセンブリ３０４内に固定される。いくつかの実施形態においては、取付アームはトリガ機構を用いて解放可能である。
【００６２】
[0085]  さらに本発明の一態様による取付アームの斜視図である図１５を参照すると、取付アームは概ねスパイク形状であり、上部３０６と、下部３０８と、背面３１０と、前面３１２とを有する。アームは、円形又は楕円形又は多角形の断面など、任意の適切な断面を有し得るが、例示的な一実施形態においては、アームは長方形の断面を有する。図１５において最もよくわかるように、スパイクのヘッド３１４はスパイクの上部から後方へ外側に延伸し、横切欠部３１６がスパイクの後部を下部付近で横断している。
【００６３】
[0086]  図１３及び１４の例示的な実施形態においては、一対の水平に離隔された取付アーム支持体３０２が、装着板１６の各側部の近くに、下部２５０の付近に取り付けられる。内側壁は、内後壁及び装着板の背面２５８の一部分とともに、取付スロットを形成する。取付スロットは、取付アームが取付スロット内で取付アーム支持体により摺動可能に支持されるように、取付アーム３００の断面と略同一の断面を有する。
【００６４】
[0087]  例示的な取付アームラチェットアセンブリ３０４の上部斜視図である図１６と、取付アームラチェットアセンブリの下部斜視図である図１７と、において最もよくわかるように、ラチェットアセンブリは、枢動可能なトリガ部材３２６、枢動可能なラチェット本体３２８、及び係止ピン３３０のためのハウジング３２４を含む。ハウジングは、上部３３２と、下部３３３と、前部３３４と、後部３３５と、対向する側部３３６及び３３８と、を有する。内側のハウジング側壁３４０は、装着板の背面１５８の一部分とともに、ハウジングの前部に取付アームスロット３４２を形成する。取付アームスロットは、取付アームが取付アームスロット内で摺動可能であるように、取付アーム３００の断面と略同一の断面を有する。
【００６５】
[0088]  各内側側壁３４０はハウジングの下部３３３及び後部３３５から延伸する拡大された径３４４を有する部分を含み、内側後壁３４１はハウジングの底部に隣接して凹んだ部分３４６を含む。一緒になって、トリガ部材３２６及び枢動可能なラチェット本体３２８を収容する空間３４８がハウジング３２４の後部に形成される。ハウジングの対向する側壁を貫通して延伸しているのは、一対の位置合わせされたハウジングトリガ部材ピボットピン孔３５０、一対の位置合わせされたハウジングラチェット本体孔３５２、及び一対の係止孔３５４である。
【００６６】
[0089]  図１６と、トリガ部材を含む取付アームラチェットアセンブリの一部分の側部平面図である図１８とにおいて最もよくわかるように、例示的な一実施形態においては、トリガ部材３２６は下部分と上部分とを有する。下部分はトリガ３５３を備え、上部分はラチェット歯３５６と横トリガ部材ピボットピン孔３５８とを含むトリガ部材本体３５５を備える。トリガ部材ピボットピン孔はハウジングトリガ部材ピボットピン孔３５０と位置が一致しているので、トリガ部材はすべての孔を通って延伸するトリガ部材ピボットピン３６０によってハウジング３２４に枢動可能に固締される。
【００６７】
[0090]  いくつかの実施形態においては、ラチェット本体３２８は上部分３６２と、下部分３６４と、対向する側部３６６及び３６８と、を含む。下部分は、ラチェットアセンブリ３０４が図１６及び１８に示す係合位置にあるときにラチェット歯３５６と嵌合するトリガ部材歯３７４を備える。
【００６８】
[0091]  横ラチェット本体ピボットピン孔３７６はハウジングラチェット本体ピボットピン孔３５２と位置が一致しているので、ラチェット本体３２８は、すべての孔を通って延伸するラチェット本体ピボットピン３７８によってハウジング３２４に枢動可能に固締される。一対のコイルばね３８０がラチェット本体の対向する側部３６６，３６８の各々に隣接するラチェット本体ピボットピン上に配置される。図１８において最もよくわかるように、各コイルばねはコイルばねアーム３８２を有し、これが、取付アセンブリ３０４と係合するために圧力が印加されるとき、側部の各々から外側に延伸する一対のばねコイルフランジ３８６の平面的な上面３８４に当接して、コイルばねの位置を維持する。
【００６９】
[0092]  ラチェット本体３２８の上部分３６２の前部から延伸しているのは、ラチェット本体が係合位置にあるときに取付アーム切欠部３１６と嵌合する取付アーム歯３７５である。上部分の後部から延伸しているのは、横係止切欠部３９０である。ラチェット本体が係合位置にあるとき、横係止切欠部はラチェット本体係止孔３５４と位置が一致する。ラチェットアセンブリ３０４を係合位置に係止するために、係止ピン３３０が係止孔に挿通されてもよい。係止ピンは任意の適切な材料で作成可能であり、いくつかの実施形態においては炭素複合材料で作成される。
【００７０】
[0093]  図１３，１４及び２２に戻ると、いくつかの実施形態においては、装着板１６は、装着板１６の取り扱い及びＬＥＤ表示器システム１０の組み立てを容易にするために、少なくとも１本の垂直に配向された棒３９２も備える。図１３，１４及び２２の例示的な実施形態においては、各装着板につき２本の水平に離隔された棒３９２が示されている。棒は、円形又は楕円形又は多角形の断面を含むがこれらに限られない、任意の適切な断面を有し得る。図１３，１４及び２２に示す実施形態においては、棒は、各ハウジング３２４の後部３３５に形成された位置合わせされた棒取付部分３９４の間に延伸する。図１６及び１７に見られるように、いくつかの実施形態において、各棒取付部分から下側に突出しているのは、各棒の対向する端部の開口部に適合するよう成形された栓３９６である。
【００７１】
[0094]  取付アーム及び取付アームラチェットアセンブリの側部斜視図である図１９と、その取付アーム及び取付アームラチェットアセンブリの側部平面図である図２０と、に示すのは、例示的な取付アーム４００及び取付アームラチェットアセンブリ４０４の第２の実施形態である。取付アームは概してスパイク形状を有しており、上部４０６と、下部４０８と、背面４１０と、前面４１２と、を含む。取付アーム４１４のヘッドは取付アームの上部から後方へ外側に延伸し、第１の横切欠部４１６がスパイクの後部を下部付近で横断し、第２の横切欠部４１７がスパイクの後部を上部付近で横断している。取付アームが固定位置にあるときには、第２の横切欠部がハウジング４２４の上端４１９（図２１）を係合する。
【００７２】
[0095]  取付アームラチェットアセンブリ４０４は、枢動可能なトリガ部材４２６、枢動可能なラチェット本体４２８、及び係止ピン４３０のためのハウジング４２４を含む。さらに図２０を参照すると、ハウジングは、上部４３２と、下部４３３と、前部４３４と、後部４３５と、対向する側部４３６及び４３８と、を有する。内側のハウジング側壁４４０は、装着板の背面の一部分とともに、ハウジングの前部に取付アームスロット４４２を形成する。取付アームスロットは、取付アームが取付アームスロット内で摺動可能であるように、取付アーム４００の断面と略同一の断面を有する。
【００７３】
[0096]  各内側側壁４４０は、ハウジングの下部４３３及び後部４３５から内側に延伸する拡大された差し渡し４４４を有する第１の部分と、後部から内側に延伸するさらに拡大された差し渡しを有する第２の部分４４５と、を含む。一緒になって、トリガ部材４２６及び枢動可能なラチェット本体４２８を収容する空間４４８がハウジング４２４の後部に形成される。
【００７４】
[0097]  対向する側壁４４０を貫通して延伸しているのは、一対の位置合わせされたハウジングトリガ部材ピボットピン孔４５０、一対の位置合わせされたハウジングラチェット本体枢動孔４５２、一対の位置合わせされた係止孔４５４、一対の位置合わせされたトリガ部材止め孔４５５、及び一対の位置合わせされたラチェット本体止め孔４５８である。トリガ部材ピボットピン４６０はトリガ部材ピボットピン孔を通って延伸し、ラチェット本体ピボットピン４７８はラチェット本体枢動孔を通って延伸し、係止ピン４３０は係止ピン孔の間に取り外し可能に位置決め可能であり、トリガ部材止めピン４９４はトリガ部材止め孔を通って延伸し、ラチェット本体止めピン４９６はラチェット本体止め孔を通って延伸する。
【００７５】
[0098]  図１９において最もよくわかるように、例示的な一実施形態においては、トリガ部材４２６は上部分と下部分とを有する。下部分はトリガ４５３を備え、上部分はトリガ部材本体４５４を備える。トリガ部材本体は横トリガ部材ピボットピン孔を含む。トリガ部材本体の上前部分はトリガ部材歯４５６を含み、トリガ部材本体の上後部分はピボット部材止め４５７を含む。
【００７６】
[0099]  トリガ部材ピボットピン孔はハウジングトリガ部材ピボットピン孔４５０と位置が一致しているので、トリガ部材４２６はすべての孔を通って延伸するトリガ部材ピボットピン４６０によってハウジング４２４に枢動可能に固締される。トリガ部材止めピン４９４は、ラチェットアセンブリ４０４が係合位置にあるときにトリガ部材止め４５７が止めピンに当接するように位置している。
【００７７】
[00100]  いくつかの実施形態においては、ラチェット本体４２８は、上部分４６２と、下部分４６４と、対向する側部４６８（一方を図示する）と、を含む。上部分の前部は、ラチェットアセンブリが係合位置にあるときに第１の取付アセンブリ切欠部４１６と嵌合し取付アームをラチェットアセンブリ４０４に固定する取付アーム歯４７４を含む。上部分の後部は、ラチェットアセンブリが係合位置にあるときにラチェット本体止めピン４９６に当接するラチェット本体止め４７５を含む。下部分は、ラチェットアセンブリ４０４が係合位置にあるときにトリガ部材歯４５６と嵌合するトリガ部材歯４７４を備える。
【００７８】
[00101]  横ラチェット本体ピボットピン孔４７６はハウジングラチェット本体ピボットピン孔４５２と位置が一致しているので、ラチェット本体はラチェット本体ピボットピン４７８によってハウジング４２４に枢動可能に固締される。一対のコイルばね４８０がラチェット本体の対向する側部の各々に隣接するラチェット本体ピボットピン上に配置される。各コイルばねは、取付アセンブリ４０４と係合するために圧力が印加されるときにコイルばねの位置を維持するためのコイルばねアーム４８２を有する。
【００７９】
[00102]  ラチェット本体４２８の背面は横係止溝４９１を含む。ラチェット本体が係合位置にあるとき、横係止溝はラチェット本体係止孔４５４と位置が一致する。ラチェットアセンブリ４０４を係合位置に係止するために、係止ピン４３０が係止孔に挿通されてもよい。係止ピンは任意の適切な材料で作成可能であり、いくつかの実施形態においては炭素複合材料で作成される。
【００８０】
[00103]  以上の説明は、どんな当業者であっても本明細書に記載された様々な態様を実施することができるように提供されるものである。これらの態様の種々の変更は当業者には直ちに明らかになるであろうし、本明細書において定義された一般的な原則は他の態様に適用されてもよい。したがって、特許請求の範囲は、本明細書に示された態様に限定されることを意図されてはおらず、請求項の文言と一致する全範囲に認められるべきものであり、単数形の要素を参照する場合には、特にそのように述べられていない限りは「１つだけ」を意味することが意図されているのではなく、むしろ「１つ以上」を意味することが意図されている。本開示の全体を通じて記載されている、既知の又は後に当業者に知られるようになる様々な態様の要素のすべての構造的及び機能的な均等物は、参照により明示的に本明細書に組み込まれ、特許請求の範囲に包含されることが意図されている。また、本明細書において開示されたものは、そのような開示が特許請求の範囲に明記されているか否かにかかわらず、公に捧げられることを意図されてはない。
【図１】
0006456311.tif 000002
【図２】
0006456311.tif 000003
【図３】
0006456311.tif 000004
【図４】
0006456311.tif 000005
【図５】
0006456311.tif 000006
【図５Ａ】
0006456311.tif 000007
【図５Ｂ】
0006456311.tif 000008
【図６】
0006456311.tif 000009
【図７】
0006456311.tif 000010
【図８】
0006456311.tif 000011
【図９】
0006456311.tif 000012
【図１０】
0006456311.tif 000013
【図１１】
0006456311.tif 000014
【図１２】
0006456311.tif 000015
【図１３】
0006456311.tif 000016
【図１４】
0006456311.tif 000017
【図１５】
0006456311.tif 000018
【図１６】
0006456311.tif 000019
【図１７】
0006456311.tif 000020
【図１８】
0006456311.tif 000021
【図１９】
0006456311.tif 000022
【図２０】
0006456311.tif 000023
【図２１】
0006456311.tif 000024
【図２２】
0006456311.tif 000025